(57)【要約】【課題】レンズ鏡筒の組み立て後に、特別な専用治具を必要とせずに、容易に、高精度に、かつ直線連続的に調整量を調整可能な操作リングのトルク調整機構を提供すること。さらに、調整後のトルク量を確実に保持することができる操作リングのトルク調整機構を提供すること。【解決手段】操作リングを光軸方向に固定で光軸中心に回転自在に支持する固定外筒部材と、第１トルク調整環を光軸方向固定でかつ光軸中心回転自在に支持し、かつ前記第１トルク調整環を固着可能な第１固定筒部材と、前記第１トルク調整環と楔係合し、第３固定筒部材によって前記楔係合を維持するように付勢され、前記第１トルク調整環の光軸中心回転によって光軸方向位置が変化させられる第２トルク調整環と、前記操作リングに連結され、前記第３固定部材と前記第２トルク調整環によって光軸方向において挟み込まれる摩擦環状部とを有する操作リングのトルク調整機構。【選択図】図１
2012022253.tif 000002
【特許請求の範囲】
【請求項１】
操作リングを光軸方向に固定で光軸中心に回転自在に支持する固定外筒部材と、
第１トルク調整環を光軸方向固定でかつ光軸中心回転自在に支持し、かつ前記第１トルク調整環を固着可能な第１固定筒部材と、
前記第１トルク調整環と楔係合し、第３固定筒部材によって前記楔係合を維持するように付勢され、前記第１トルク調整環の光軸中心回転によって光軸方向位置が変化させられる第２トルク調整環と、
前記操作リングに連結され、前記第３固定部材と前記第２トルク調整環によって光軸方向において挟み込まれる摩擦環状部と
を有することを特徴とする操作リングのトルク調整機構。
【請求項２】
請求項１に記載の操作リングのトルク調整機構を包含するレンズ鏡筒。
【発明の詳細な説明】
【技術分野】
【０００１】
本発明は、操作リングのトルク調整機構、さら詳しくは、レンズ鏡筒等の操作リングの操作トルク調整を容易に高精度に行うことができかつその操作トルク調整状態を確実に保持することができるレンズ鏡筒に関する。
【背景技術】
【０００２】
従来の操作リングのトルク調整機構としては、ムラのない、適度の回転トルクを合焦操作環に与え、快適な操作感を実現するレンズ鏡筒であって、前記固定鏡筒に回転可能に取り付けられ、光軸方向の位置を制限された回転部材と、前記回転部材又は前記固定鏡筒のいずれか一方に設けられ、前記回転部材又は前記固定鏡筒の他方を光軸の方向に付勢することにより、前記回転部材を回転させるために必要とされる回転トルクを調整する調整部材とを備え、前記調整部材は、光軸回りの円周方向に所定角度のみ有する部材であり、前記回転部材又は前記固定鏡筒のいずれか一方に設けられているレンズ鏡筒が提案されている（例えば、特許文献１参照）。
【０００３】
従来の他の操作リングのトルク調整機構として、簡易な構造で部品点数も少なく、組み立て・調整が容易なレンズ操作トルク調整機構であって、光学装置本体に連結するためのマウント部材と一体の固定部と、該固定部に摺動自在に摺動抵抗を持って取り付けられた操作部とを有し、上記固定部と操作部の摺動部分の一方に、変形可能な支持部によって支持された摺動当接面を複数箇所に設けたレンズ操作トルク調整機構が提案されている（例えば、特許文献２参照）。
【０００４】
従来の他の操作リングのトルク調整機構として、簡単な構成によって装置組立後の操作トルクの調整を図る機構であって、レンズ鏡筒本体に設けられた撮影レンズを光軸方向へ移動させるための回動リングを有するレンズ装置に備えられ、当該回動リングを回転操作する際の操作トルクを調整するトルク調整機構であり、前記レンズ鏡筒本体と前記回動リングとの嵌合摺動部に対して接触する回転体と、当該回転体を所定の圧力で前記嵌合摺動部の方向へ付勢する弾性体と、当該弾性体を伸縮させて前記回転体への付勢力を調整する調整手段と、前記嵌合摺動部に向かって外部から穿設され、前記回転体、前記弾性体および前記調整手段を収容する収容孔と、を備えたトルク調整機構が提案されている（例えば、特許文献３参照）。
【０００５】
従来の他の操作リングのトルク調整機構として、操作リングを回転させる際に、異なるトルクを発生させることができるレンズ鏡胴であって、レンズ鏡胴本体外周面に沿ってその周方向に延びており弾性変形させられるアーム本体と、前記アーム本体の一端側に設けられており前記レンズ鏡胴本体に固定された固定端部と、前記アーム本体の他端側に設けられており前記操作リングが当接することにより変位させられる自由端部と、を有する片持ち梁形状のトルク付与アームと、前記レンズ鏡胴本体の外周部に嵌入されたトルク可変リングと、前記トルク可変リングに設けられており、かつ、前記アーム本体と前記レンズ鏡胴本体との間に配置されており、前記トルク可変リングの回転停止位置に応じて異なる位置で前記アーム本体を支持する支持片と、を備えたレンズ鏡筒が提案されている（例えば、特許文献４参照）。
【先行技術文献】
【特許文献】
【０００６】
【特許文献１】特開平１０−１７０８０６号
【特許文献２】特開平１１−０１４８８２号
【特許文献３】特開２００７−４１４１０号
【特許文献４】特開２００８−８３５５７号
【発明の概要】
【発明が解決しようとする課題】
【０００７】
特許文献１に開示されたレンズ鏡筒においては、トルク調節用板バネである弾性部材が鏡筒に組み込まれており、組み込み後に弾性部材のバネ係数を変更するような調整を行うことができない問題がある。
【０００８】
特許文献２に開示されたレンズ操作トルク調整機構においては、ズームリングに設けられ、固定筒に当接する凸部が片持ちまたは両持ちの形状で弾性変形によってトルク調整を行っている。従って、トルク調整は凸部の支持部分を変更させなければならず、実質上組み立て後にトルク調整を行うことができない問題がある。
【０００９】
特許文献３に開示されたトルク調整機構においては、弾性体によって付勢された回転体を固定筒に押圧してトルク調整する。これは、回転体が固定筒に点接触しており、回転体に大きな回動阻止抵抗力を効率的に及ぼすことが困難である問題がある。
【００１０】
特許文献４に開示されたレンズ鏡筒においては、片持ちバネを利用し、コイルバネを使用しないで、片持ちバネの支点と作用点の位置を変更することによってトルク調整を行う。片持ちバネによって大きな回動阻止抵抗力を及ぼそうとすると、片持ちバネの支点に大きな負荷が集中し、これに耐えるため支点部分を頑丈にしなければならず、レンズ鏡筒のコンパクト化や軽量化に不利であるという問題がある。
【００１１】
（発明の目的）
本発明は、従来のレンズ鏡筒等における操作リングのトルク調整機構に関する上述した問題点に鑑みなされたものであって、レンズ鏡筒の組み立て後に、特別な専用治具を必要とせずに、容易に、高精度に、かつ直線連続的に調整量を調整可能な操作リングのトルク調整機構を提供することを目的とする。
本発明はまた、調整後のトルク量を確実に保持することができる操作リングのトルク調整機構を提供することを目的とする。
【課題を解決するための手段】
【００１２】
本発明は、
操作リングを光軸方向に固定で光軸中心に回転自在に支持する固定外筒部材と、
第１トルク調整環を光軸方向固定でかつ光軸中心回転自在に支持し、かつ前記第１トルク調整環を固着可能な第１固定筒部材と、
前記第１トルク調整環と楔係合し、第３固定筒部材によって前記楔係合を維持するように付勢され、前記第１トルク調整環の光軸中心回転によって光軸方向位置が変化させられる第２トルク調整環と、
前記操作リングに連結され、前記第３固定部材と前記第２トルク調整環によって光軸方向において挟み込まれる摩擦環状部と
を有することを特徴とする操作リングのトルク調整機構
である。
【００１３】
本明細書のレンズ鏡筒において、「固定」はカメラ本体等と一体的でカメラ本体等に対し変位しないことを意味する。「楔係合」は、互いに当接するように付勢された二つの部材の少なくとも一方に、付勢方向に関し直角以外の角度で傾斜した斜面を設け、二つの部材の相互回転位置関係によって二つの部材の付勢方向の相対位置関係が変化する関係を意味する。
【発明の効果】
【００１４】
本発明の操作リングのトルク調整機構によれば、レンズ鏡筒の組み立て後に、特別な専用治具を必要とせずに、容易に、高精度に、かつ直線連続的に調整量を調整可能である効果を有する。
本発明の操作リングのトルク調整機構によればまた、調整後のトルク量を確実に保持することができる効果を有する。
【図面の簡単な説明】
【００１５】
【図１】図１は、本発明の実施形態の操作リングのトルク調整機構を包含するレンズ鏡筒の部分断面図である。
【図２】図２は、図の矢印IIで示す方向から見た部分断面図である。
【発明を実施するための形態】
【００１６】
（構成）
本発明の実施形態の操作リングのトルク調整機構を含むレンズ鏡筒１０の構成は、図１に示すように、カメラ本体（図示せず）に実質上固着した固定外筒部材１２、固定外筒部材１２の内側に配置された第１固定筒部材１４，第１固定筒部材１４の内側に配置された第２固定筒部材１６、及び第１固定筒部材１４の前方すなわちカメラ本体（図示せず）の反対側に配置される第３固定筒部材１８とを有する。
【００１７】
固定外筒部材１２は、部分的に外部に露出し、部分的に装飾・滑り止めゴムリング２２によって被われている。固定外筒部材１２は、装飾・滑り止めゴムリング２２によって被われた部分に、ネジ２５を廻すためのドライバー貫通長孔１３を設けている。貫通長孔１３は、光軸Ｏ中心の円周方向に長く延びている。
第１固定筒部材１４は、ネジ２５が緩く貫通し、光軸Ｏ中心の円周方向に長く延びたネジ貫通長孔２９を設けている。ネジ２５は、第１トルク調整環２６に螺合される。第１固定筒部材１４と第１トルク調整環２６は、光軸Ｏ方向については位置関係が固定されているが、光軸Ｏ中心の回動については相互に回転自在であるように構成されている。
【００１８】
第２固定筒部材１６は、第２トルク調整環２８を光軸Ｏ方向に直線的に移動さえるための直進ガイド溝３３を有する。
第３固定筒部材１８は、光軸Ｏ方向において圧縮されている調整弾性部材３２を介して第２トルク調整環２８を支持している。第２トルク調整環２８はガイド受け突起３１を有し、ガイド受け突起３１は第２固定筒部材１６に設けられた直進ガイド溝３３に係合している。
【００１９】
第１トルク調整環２６は、第２トルク調整環２８側端面に第１調整楔部２６ｗを有する。第２トルク調整環２８は、第１トルク調整環２６側端面に第２調整楔部２８ｗを有する。第１調整楔部２６ｗと第２調整楔部２８ｗは、図２に示すように、相互に楔係合している。
【００２０】
固定外筒部材１２に光軸Ｏ中心に回転自在に支持された操作リング４０は、内側に突出した摩擦環状部分４２を有する。摩擦環状部分４２のカメラ本体（図示せず）側の摩擦面４４は第２トルク調整環２８に摩擦当接し、カメラ本体（図示せず）側と反対側の摩擦面４６は第３固定筒部材１８に摩擦当接している。操作リング４０は、レンズ５０を光軸Ｏ方向に移動させるためのカム筒部材５２に連結されている。操作リング４０は、第２トルク調整環２８を貫通させるための円周方向長孔（図示せず）を有している。
【００２１】
第１トルク調整環２６と第２トルク調整環２８の当接部は、図２に示すように、第１調整楔部２６ｗと第２調整楔部２８ｗが楔係合しているから、第１トルク調整環２６と第２トルク調整環２８の光軸Ｏ中心の相互角度位置の変化によって、第１トルク調整環２６と第２トルク調整環２８の光軸Ｏ方向の位置関係を変化させることができる。
【００２２】
（作用）
本発明の実施形態の操作リングのトルク調整機構を含むレンズ鏡筒１０の作用は、固定外筒部材１２から装飾・滑り止めゴムリング２２を外し、工具ドライバーを貫通長孔１３を通して挿入して、ネジ２５を廻して弛める。ネジ２５を弛めた後、第１トルク調整環２６を、ネジ２５を介して第１固定筒部材１４に対し光軸Ｏを中心に回転させる。
この第１トルク調整環２６の光軸Ｏ中心の回転により、光軸Ｏ中心の円周方向における第１調整楔部２６ｗと第２調整楔部２８ｗの相対的位置が変化し、直進ガイド溝３３によって光軸Ｏ中心の円周方向の回転を規制された第２トルク調整環２８は、光軸Ｏ方向において変位する。
【００２３】
操作リング４０のカメラ本体（図示せず）側と反対側の摩擦面４６が第３固定筒部材１８に摩擦当接していることから、第２トルク調整環２８の光軸Ｏ方向における変位は、操作リング４０の挟み力を変化させ、操作リング４０の回動阻止抵抗力が変化し、操作リング４０のトルク調整が行われる。
【００２４】
操作リング４０のトルク調整後は、ネジ２５を締め付け、装飾・滑り止めゴムリング２２を所定の位置に戻し、装飾・滑り止めゴムリング２２によって貫通丸孔１３を被う。
【産業上の利用可能性】
【００２５】
本発明の操作リングのトルク調整機構は、通信機器や家庭電気器具等の精密回転操作部材、例えば周波数や明るさ等の調整ダイヤルにおいて、回転操作トルクの重さ軽さすなわち動摩擦係数や、調整後の調整ダイヤルの状態の保持する力言い換えれば回転操作部材に外部部材が接触した場合の抵抗トルク力すなわち静摩擦係数の調整を要する場合にも、有効に利用できる。
【符号の説明】
【００２６】
Ｏ              光軸
１０            レンズ鏡筒
１２            固定外筒部材
１３            貫通長孔
１４            第１固定筒部材
１６            第２固定筒部材
１８            第３固定筒部材
２２            装飾・滑り止めゴムリング
２５            ネジ
２６            第１トルク調整環
２６ｗ          第１調整楔部
２９            ネジ貫通長孔
２８            第２トルク調整環
２８ｗ          第２調整楔部
３１            ガイド受け突起
３２            調整弾性部材
３３            直進ガイド溝
４０            操作リング
４２            摩擦環状部分
４４            摩擦面
４６            摩擦面
５２            カム筒部材
【図１】
2012022253.tif 000003
【図２】
2012022253.tif 000004